(57)【要約】【課題】仕切り部２６で区切って隣接するように形成された２つの空気通路２３・２４の通風をバタフライドア２５にて切り替えるうえにおいて、ドア２５やケース１１の成形形状を複雑にすることなく、また、ドア２５の操作力を重くすることなく、回動軸２５ａ周りからの風洩れを防止する。【解決手段】回動軸２５ａの一部円弧面に、仕切り部２６の一端部２６ａと接触する発泡部材の軸部シール部材２５ｄ・２５ｅを設けている。発泡部材の軸部シール部材２５ｄ・２５ｅとは、具体的にはシール用ウレタンパッキンなどであり、エラストマ樹脂で形成したシールリップよりも柔軟なシール部材としている。このため、仕切り部２６の一端部２６ａと接触させながら回動させても追従性が良く、良好なシール性を保って回動軸２５ａ周りの風洩れを防ぐことができるうえ、操作力を重くすることも無い。また、ドア２５やケース１１の成形形状を複雑にすることもない。【選択図】図２
2007137140.tif 000002
【特許請求の範囲】
【請求項１】
空気通路を形成するケース（１１）と、
前記ケース（１１）内、もしくは前記ケース（１１）の一端部に、仕切り部（２６）で区切って隣接するように形成され、前記空気通路と連通する第１、第２空気通路（２３、２４）と、
前記仕切り部（２６）の途中に回動軸（２５ａ）を有して前記第１、第２空気通路（２３、２４）を相互に逆の開閉状態に開閉するバタフライドア（２５）が配設されて成る空気通路切替装置において、
前記回動軸（２５ａ）の一部円弧面に、前記仕切り部（２６）の一端部（２６ａ）と接触する発泡部材の軸部シール部材（２５ｄ、２５ｅ）を設けたことを特徴とする空気通路切替装置。
【請求項２】
前記軸部シール部材（２５ｄ、２５ｅ）と接触する前記仕切り部（２６）の前記一端部（２６ａ）を、半円柱形状に形成したことを特徴とする請求項１に記載の空気通路切替装置。
【請求項３】
前記バタフライドア（２５）のドア基板部（２５ｂ、２５ｃ）に貼着され、前記ドア基板部（２５ｂ、２５ｃ）が前記第１、第２空気通路（２３、２４）のいずれかを閉じた時に、前記ドア基板部（２５ｂ、２５ｃ）と前記第１、第２空気通路（２３、２４）との間をシールする開口部シール部材（２５ｄ）と前記軸部シール部材（２５ｄ）とを一体にしたことを特徴とする請求項１または請求項２に記載の空気通路切替装置。
【請求項４】
前記軸部シール部材（２５ｄ、２５ｅ）を、前記ドア基板部（２５ｂ、２５ｃ）を介して前記回転軸（２５ａ）の両側円弧面に設けたことを特徴とする請求項１ないし請求項３のうちいずれか１項に記載の空気通路切替装置。
【請求項５】
前記ドア基板部（２５ｂ、２５ｃ）の板厚中心を前記回転軸（２５ａ）の中心から外側にずらして配置したことを特徴とする請求項１ないし請求項４のうちいずれか１項に記載の空気通路切替装置。
【請求項６】
請求項１ないし請求項５のうちいずれか１項に記載の空気通路切替装置を開口部切替手段（１６、２１、２５）に用いたことを特徴とする車両用空調装置。
【発明の詳細な説明】
【技術分野】
【０００１】
本発明は、仕切り部で区切って隣接するように形成された２つの空気通路の通風を切り替えるバタフライドアを有する空気通路切替装置および車両用空調装置に関するものであり、特に、開放された空気通路側から閉鎖された空気通路側へバタフライドアの回動軸周りからの風洩れ防止に関するものである。
【背景技術】
【０００２】
仕切り部で区切って隣接するように形成された２つの空気通路の通風を切り替える空気通路切替装置において、開放された空気通路側から閉鎖された空気通路側へ回動軸周りからの風洩れ（以下、これを略して回動軸周りからの風洩れとする）を防止する従来技術として、下記特許文献１に示されるものがある。これは片持ちの板ドアでの切り替えにおいて、回動軸の形状を工夫したものである。
【０００３】
また、同様の空気通路切替装置および車両用空調装置で、回動軸の両側にドア基ドア基板部を有するバタフライドアにて通風を切り替えるものがあり、このバタフライドアの回動軸周りからの風洩れを防止する従来技術として、下記特許文献２、３に示されるものがある。
【０００４】
前者は、回動軸周りに風洩れ防止用のパッキンを設けているが、ケースの外側から回動軸端に差し込まれてケースに係合する係合爪の周囲からの風洩れを防ぐものである。また、後者は、本発明と同様に、バタフライドアの回動軸周りからの風洩れ防止を図るものであり、回動軸部を部分円筒軸部と部分円筒軸受部とにしたものである。
【０００５】
また、図５は、車両用空調装置の開口切替部の部分拡大図であり、従来の空気通路切替装置の一例である。本例ではバタフライドア２５の両ドア基ドア基板部２５ｂ・２５ｃに設けるシール部材としてエラストマ樹脂で形成したシールリップ２７ａ・２７ｂにするとともに、回動軸２５ａ回りの風洩れも防止するため、回動軸２５ａにもシールリップ２７ｃを形成したものである。
【特許文献１】特開２００２−３４７４２９号公報
【特許文献２】特開２００４−２４３８２６号公報
【特許文献３】特開２００４−２０３１２７号公報
【発明の開示】
【発明が解決しようとする課題】
【０００６】
しかしながら、上記特許文献１や３に示される回動軸の形状を工夫するものにおいては、回動軸の強度が低下することや、ドアやケースの成形形状が複雑化することによってコストアップすることなどの問題点がある。また、図５に示した従来例では、ドア基ドア基板部２５ｂ・２５ｃのシールリップ２７ａ・２７ｂと一緒に回動軸２５ａのシールリップ２７ｃも形成すれば良いが、シールリップ２７ｃとケース１１との間での摩擦抵抗が大きく、ドア２５の操作力が重くなるという問題点がある。
【０００７】
本発明は、上記従来技術の問題点に鑑みて成されたものであり、その目的は、仕切り部で区切って隣接するように形成された２つの空気通路の通風をバタフライドアにて切り替えるうえにおいて、ドアやケースの成形形状を複雑にすることなく、また、ドアの操作力を重くすることなく、回動軸周りからの風洩れを防止することのできる空気通路切替装置および車両用空調装置を提供することにある。なお、図５で説明しなかった符号は後述する本発明の実施形態での符号と対応するものである。
【課題を解決するための手段】
【０００８】
本発明は上記目的を達成するために、請求項１ないし請求項６に記載の技術的手段を採用する。すなわち、請求項１に記載の発明では、空気通路を形成するケース（１１）と、
ケース（１１）内、もしくはケース（１１）の一端部に、仕切り部（２６）で区切って隣接するように形成され、空気通路と連通する第１、第２空気通路（２３、２４）と、
仕切り部（２６）の途中に回動軸（２５ａ）を有して第１、第２空気通路（２３、２４）を相互に逆の開閉状態に開閉するバタフライドア（２５）が配設されて成る空気通路切替装置において、
回動軸（２５ａ）の一部円弧面に、仕切り部（２６）の一端部（２６ａ）と接触する発泡部材の軸部シール部材（２５ｄ、２５ｅ）を設けたことを特徴としている。
【０００９】
発泡部材の軸部シール部材（２５ｄ、２５ｅ）とは、具体的にはシール用ウレタンパッキンなどであり、エラストマ樹脂で形成したシールリップよりも柔軟なシール部材としている。このため、請求項１に記載の発明によれば、仕切り部（２６）の一端部（２６ａ）と接触させながら回動させても滑らかに追従し、良好なシール性を保って回動軸（２５ａ）周りの風洩れを防ぐことができるうえ、操作力を重くすることも無い。また、バタフライドア（２５）やケース（１１）の成形形状を複雑にすることもない。
【００１０】
また、請求項２に記載の発明では、請求項１に記載の空気通路切替装置において、軸部シール部材（２５ｄ、２５ｅ）と接触する仕切り部（２６）の一端部（２６ａ）を、半円柱形状に形成したことを特徴としている。この請求項２に記載の発明によれば、軸部シール部材（２５ｄ、２５ｅ）を仕切り部（２６）の一端部（２６ａ）と接触させながら回動させても滑らかに追従し、良好なシール性を保って回動軸（２５ａ）周りの風洩れを防ぐことができるうえ、操作力を重くすることも無い。
【００１１】
また、請求項３に記載の発明では、請求項１または請求項２に記載の空気通路切替装置において、バタフライドア（２５）のドア基板部（２５ｂ、２５ｃ）に貼着され、ドア基板部（２５ｂ、２５ｃ）が第１、第２空気通路（２３、２４）のいずれかを閉じた時に、ドア基板部（２５ｂ、２５ｃ）と第１、第２空気通路（２３、２４）との間をシールする開口部シール部材（２５ｄ）と軸部シール部材（２５ｄ）とを一体にしたことを特徴としている。この請求項３に記載の発明によれば、構成を簡素にできることからコストを抑えることができる。
【００１２】
また、請求項４に記載の発明では、請求項１ないし請求項３のうちいずれか１項に記載の空気通路切替装置において、軸部シール部材（２５ｄ、２５ｅ）を、ドア基板部（２５ｂ、２５ｃ）を介して回転軸（２５ａ）の両側円弧面に設けたことを特徴としている。
【００１３】
図２に示す後述の第１実施形態は、Ｌ字型となったバタフライドア（２５）の回転軸（２５ａ）の外側円弧面に軸部シール部材（２５ｄ）を設けたものである。実際には、回転軸（２５ａ）の内側円弧面と仕切り部（２６）の一端部との間には隙間（Ｓ、図２参照）ができるが、バタフライドア（２５）の空気流れ下流側となるように配置しているため問題とはならない。
【００１４】
しかし、この請求項４に記載の発明によれば、回動軸（２５ａ）周りの風洩れを完全に防ぐことができることとなる。このため、図３に示す後述の第２実施形態のように、バタフライドア（２５）自体を空気流れ上流側として空気流れ上流側を向けて配置することもできるようになり、レイアウト上の自由度を向上させることができる。
【００１５】
また、請求項５に記載の発明では、請求項１ないし請求項４のうちいずれか１項に記載の空気通路切替装置において、ドア基板部（２５ｂ、２５ｃ）の板厚中心を回転軸（２５ａ）の中心から外側にずらして配置したことを特徴としている。この請求項５に記載の発明によれば、ドア基ドア基板部（２５ｂ、２５ｃ）が仕切り部（２６）と干渉することが避け易くなるため、バタフライドア（２５）の回動範囲を大きく取ることができる。このため、開放した空気通路側にドア基ドア基板部（２５ｂ、２５ｃ）が中途半端に残ることなく仕切り部（２６）に沿わせて空気通路を大きく開放することができる。
【００１６】
また、請求項６記載の発明では、請求項１ないし請求項５のうちいずれか１項に記載の空気通路切替装置を開口部切替手段（１６、２１、２５）に用いたことを特徴としている。この請求項６に記載の発明によれば、第１、第２空気通路（２３、２４）間において通風の分離性の良い車両用空調装置とすることができる。ちなみに、上記各手段の括弧内の符号は、後述する実施形態に記載の具体的手段との対応関係を示す一例である。
【発明を実施するための最良の形態】
【００１７】
（第１実施形態）
以下、本発明の第１実施形態（請求項１〜３、６に対応）について添付した図１、２を用いて詳細に説明する。図１は、本発明の一実施形態における車両用空調装置の空調ユニット部１０の縦断面図である。また図２は、図１の空調ユニット部１０における開口切替部の部分拡大図であり、本発明の第１実施形態における空気通路切替装置である。
【００１８】
本実施形態の車両用空調装置は、セミセンター置き一体型エアコンの一例を示しており、縦型エバ水平置きタイプとしてエバポレータ（冷却用熱交換器）１２とヒータコア（加熱用熱交換器）１３とを略水平（斜め）にして車両の上下（前後）方向に配置している。これは、送風機ユニット部３０からの取入空気を、空調ユニット部１０の側方下部の流入部１４へ導入し、エバポレータ１２・ヒータコア１３の順に車両上方へ向かって空気が流れるものであり、車両前後方向にコンパクトにでき通風抵抗を小さくできるというメリットがある。
【００１９】
この車両用空調装置は、車両のダッシュパネルに沿って車室内側の略左右方向に搭載される。特に限定されないが、空調ユニット部１０は、車両中央に位置するセンターコンソールの奥に取り付けられ、送風機ユニット部３０は、助手席の乗員足元に位置する図示しないインストルメントパネル奥に取り付けられる。
【００２０】
送風機ユニット部３０には、車室外の空気を取り入れるための外気取入口３１ａと、車室内空気を循環させるための内気取入口３１ｂとが形成された内外気切替箱３１がある。内気取入口３１ｂは、内外気切替箱３１に直接開口形成されているが、外気取入口３１ａは、車体のカウルパネルに開口形成された取入口と図示しないエアダクトを介して連通している。
【００２１】
そして、内外気切替箱３１内には、内外気切替ドア３２が回動自在に設けられており、外気取入口３１ａを全開する位置（外気取入モード）と内気取入口３１ｂを全開する位置（内気循環モード）との間を回動し、必要に応じてその中間位置（内外気取入モード）でも停止する。
【００２２】
この内外気切替ドア３２の回動動作は、内外気切替箱３１の外面に取り付けられた図示しない内外気切替サーボモータなどのアクチュエータ、あるいはコントロールパネルの手動レバーに連結されたワイヤなどによって成される。また、内気および外気の取り入れは、ファンモータ３３によって回転する遠心多翼ファン（シロッコファン）３４への吸い込みによって行われる。
【００２３】
空気通路を形成するケースとしての空調ケース１１は、ポリプロピレンのような、ある程度弾性を有して強度的にも優れた樹脂の成形品から成り、エバポレータ１２・ヒータコア１３、および後述する開口部切替手段としてのドア１６・２１・２５などの機器を収納した後に、金属バネクリップやネジなどの締結手段によって一体に結合されて空調ケース１１を構成する。なお、本発明では送風機ユニット部３０と空調ユニット部１０とが一体であっても、別体であっても良いし、空調ケース１１も、どのように分割されたケース群で構成されるものであっても良い。
【００２４】
空調ユニット部１０は、車両の前後および上下方向に対して、図１に示す姿勢で配置されている。そして、送風機ユニット部３０から送風された空気は、空調ユニット部１０の側方下部に形成された流入部１４から空調ユニット部１０内に流入する。この流入部１４の上方には、取入空気を冷却するためのエバポレータ１２が設けられている。空調ケース１１内において、流入部１４直上の部位にはエバポレータ１２が、その空気の通過面を略車両上下方向に向けて空気通路の全域を横切るように配置されている。
【００２５】
つまり、エバポレータ１２は、図１に示すように車両上下方向には薄型で、車両左右方向に長手方向が向く形態で空調ケース１１内に設置されている。エバポレータ１２は周知の積層型のものであって、アルミニウムなどの金属薄板を２枚張り合わせて構成した偏平チューブ間に、同じくアルミニウムの薄板を波形状に成形したコルゲートフィンを介在して多数積層配置し、一体ろう付けしたものである。
【００２６】
このエバポレータ１２は、周知の如く冷凍サイクルの冷媒の蒸発潜熱を空調用空気から吸収して、空調用空気を冷却するものであり、図示しないコンプレッサ（圧縮機）・コンデンサ（凝縮器）・レシーバ（受液器）、および膨張弁などの減圧手段と冷媒配管で接続して構成される冷凍サイクルの一要素となる。
【００２７】
また、コンプレッサ・コンデンサ・レシーバなどの主要部品はエンジンルーム内に設けられているので、これらとエバポレータ１２とは、冷媒配管によりダッシュパネルを貫通して接続される。なお、冷凍サイクルの運転・停止は、図示しない車室内のインストルメントパネルに設けられたコントロールパネルのエアコンスイッチにより行われる。
【００２８】
エバポレータ１２の上方部位には、（空気流れ下流側）には、所定の間隔を開けてヒータコア１３が隣接配置されている。このヒータコア１３は、エバポレータ１２を通過した冷風を再加熱するものであり、その内部に高温のエンジン冷却水（温水）が循環し、このエンジン冷却水を熱源として空気を加熱する温水式ヒータである。このヒータコア１３もエバポレータ１２と同様に、車両上下方向には薄型で、車両左右方向に長手方向が向く形態で空調ケース１１内に設置されている。
【００２９】
ヒータコア１３は周知のものであり、アルミニウムなどの金属薄板を溶接などにより断面偏平状に接合してなる偏平チューブ間に、同じくアルミニウムの薄板を波形状に成形したコルゲートフィンを介在して多数積層配置し、一体ろう付けしたものである。また、空調ケース１１内で、ヒータコア１３の車両前方側部位には、このヒータコア１３をバイパスして空気（冷風）が流れる冷風バイパス通路１５が形成されている。
【００３０】
さらに、空調ケース１１内で、ヒータコア１３とエバポレータ１２との間には、ヒータコア１３で加熱される温風と、ヒータコア１３をバイパスする冷風（すなわち、冷風バイパス通路１５を流れる冷風）との風量割合を調整する平板状のエアミックスドア１６が配置されている。
【００３１】
ここで、エアミックスドア１６は、水平方向に配置された回転軸１６ａと、この回転軸１６ａと一体に設けられたドア基板部１６ｂと、ドア基板部１６ｂの両面に貼着されたウレタンフォームなどのシール部材１６ｃとにより構成されている。ドア基板部１６ｂは回転軸１６ａと共に略車両前後方向に回動可能になっている。そしてこのエアミックスドア１６は、上記風量割合の調整により空気温度を調整するための風量割合調整手段を成している。
【００３２】
回転軸１６ａは、空調ケース１１に回動自在に支持され、かつ回転軸１６ａの一端部は空調ケース１１の外部に突出して、図示しないリンク機構に結合され、空調ケース１１の外面に取り付けられた図示しないエアミックスサーボモータなどのアクチュエータ、あるいはコントロールパネルの手動レバーに連結されたワイヤなどによって駆動される。
【００３３】
空調ケース１１内において、ヒータコア１３の空気下流側（車両後方側の部位）には、ヒータコア１３との間に所定間隔を開けて上下方向に延びる壁面１７が空調ケース１１に一体成形されている。この壁面１７により、ヒータコア１３の直後から車両上方側へ向かう温風通路１８が形成され、この温風通路１８の下流側（車両前方側）はヒータコア１３の斜め前方部において冷風バイパス通路１５と合流し、冷風と温風との混合を行う空気混合部１９を形成している。
【００３４】
また、空調ユニット部１０は、車室内に対して所望の吹出口から調和空気を配風する機能を有している。このために、空調ユニット部１０の最上部（最下流側）には第２空気通路としてのデフロスタ吹出口２４と第１空気通路としてのフェイス吹出口２３、空調ユニット部１０の車両後方側下方にはフット吹出口２２が形成されている。
【００３５】
空調ケース１１の上面部において、車両前方側の部位にはデフロスタ吹出口２４が開口しており、このデフロスタ吹出口２４は、空気混合部１９から温度調節された空調空気がデフロスタ開口部２４ａを通って流入するものであり、図示しないデフロスタダクトを介して車室内のデフロスタ吹出口に接続され、その吹出口から車両前方窓ガラスの内面に向けて低湿度空気または温風を吹き出して曇りを晴らすものである。
【００３６】
また、空気混合部１９の下流側には、第１入口穴２０が形成され、この第１入口穴２０の下流側にはフェイス吹出口２３につながるフェイス開口部２３ａとフット吹出口２２につながる第２入口穴２２ａとが形成されている。そして、フェイス開口部２３ａ側への連通と第２入口穴２２ａとは、内部に扇形連通路２１ｂを有したロータリードアであるフェイス・フット切替ドア２１によって選択的に開閉されるようになっている。
【００３７】
フェイス・フット切替ドア２１は、回転軸２１ａで空調ケース１１に回動可能に支持されており、第２入口穴２２ａ側を開ける場合には図１の実線で示す姿勢となり、扇形連通路２１ｂにて第１入口穴２０と第２入口穴２２ａ（つまりフット吹出口２２）とを連通させるとともに、円弧状の外壁部にてフェイス開口部２３ａ側を閉鎖する。
【００３８】
また逆に、フェイス開口部２３ａ側へ連通させる場合には図１の２点鎖線で示す姿勢となり、円弧状の外壁部にて第２入口穴２２ａを閉鎖して第１入口穴２０とフェイス開口部２３ａ側とを連通させるものである。図１中の２１ｃは、扇形連通路２１ｂの両端側にエラストマー樹脂で形成されたシールリップである。ちなみに、第２入口穴２２ａからフット吹出口２２へ通風された空調風は、フット吹出口２２から乗員足元に向けて吹き出すようになっている。
【００３９】
次に、本発明の要部であるフェイス・フット切替部の構造について、図２の部分拡大図を用いて説明する。フェイス吹出口２３とデフロスタ吹出口２４とは仕切り部２６で区切って隣接するように形成されており、仕切り部２６の途中に回動軸２５ａを有するＬ字型バタフライドアであるフェイス・デフロスタ切替ドア２５によってフェイス吹出口２３につながるフェイス開口部２３ａとデフロスタ吹出口２４につながるデフロスタ開口部２４ａとが相互に逆の開閉状態に開閉されるようになっている。
【００４０】
このフェイス・デフロスタ切替ドア２５は、空調ケース１１に回動可能に支持された回動軸２５ａと、この回転軸２５ａと一体に設けられたフェイス側ドア基板部２５ｂ・デフロスタ側ドア基板部２５ｃと、両ドア基板部２５ｂ・２５ｃの開口部シール側に貼着されたウレタンフォームなどの開口部シール部材２５ｄとにより構成されている。図２は、回動範囲の中間状態を示し、図中の２点鎖線は回動範囲の両端を示している。
【００４１】
本実施形態では、回動軸２５ａの一部円弧面に設けて仕切り部２６の一端部２６ａと接触してシールする軸部シール部材２５ｄと兼ねるため、回動軸２５ａ部を介して両ドア基板部２５ｂ・２５ｃ用のシール部材２５ｄを一体の１枚ものとしている。そして、軸部シール部材２５ｄと接触する仕切り部２６の一端部２６ａを、半円柱形状に形成したものである。
【００４２】
上述した各ドア１６・２１・２５は、各回転軸１６ａ・２１ａ・２５ａの長さが略同一となっている。また、先のフェイス・フット切替ドア２１とこのフェイス・デフロスタ切替ドア２５とは、吹出モード切替用のドア手段であり、図示しないリンク機構に連結され、空調ケース１１の外面に取り付けられた図示しないモード切替サーボモータなどのアクチュエータ、あるいはコントロールパネルの手動レバーに連結されたワイヤなどによって駆動される。
【００４３】
そして、フェイスモード・バイレベルモード・フットモード・フットデフロスタモード・デフロスタモードなどの各種吹出モードの選択に従って、ドア２１・２５が回動して開閉の組み合わせが可変するようになっている。ちなみに図１は、フット・デフロスタモードの状態を示している。
【００４４】
そして、フェイス吹出口２３は、図示しないフェイスダクトを介して計器盤左右方向の中央部上方側に配置されているセンターフェイス吹出口と、計器盤左右両端部の上方側に配置されているサイドフェイス吹出口とに接続されている。センターフェイス吹出口からは車室内の乗員頭胸部に向けて風を吹き出し、サイドフェイス吹出口からは車室内の乗員頭胸部側もしくは車両側面窓ガラスに向けて風を吹き出す。
【００４５】
これは、サイドフェイス吹出口には周知の如く、手動操作できる吹出グリルを備えており、この吹出グリルのルーバーの方向調整により、吹出空気を車室内の乗員頭胸部、もしくは車両側面窓ガラスに向けて風を吹き出すことが可能となっている。
【００４６】
次に、本実施形態での特徴と、その効果について述べる。まず、回動軸２５ａの一部円弧面に、仕切り部２６の一端部２６ａと接触する発泡部材の軸部シール部材２５ｄを設けている。
【００４７】
発泡部材の軸部シール部材２５ｄとは、具体的にはシール用ウレタンパッキンなどであり、エラストマ樹脂で形成したシールリップよりも柔軟なシール部材としている。このため、仕切り部２６の一端部２６ａと接触させながら回動させても滑らかに追従し、良好なシール性を保って回動軸２５ａ周りの風洩れを防ぐことができるうえ、操作力を重くすることも無い。また、バタフライドア２５や空調ケース１１の成形形状を複雑にすることもない。
【００４８】
また、軸部シール部材２５ｄと接触する仕切り部２６の一端部２６ａを、半円柱形状に形成している。これによれば、軸部シール部材２５ｄを仕切り部２６の一端部２６ａと接触させながら回動させても滑らかに追従し、良好なシール性を保って回動軸２５ａ周りの風洩れを防ぐことができるうえ、操作力を重くすることも無い。
【００４９】
また、バタフライドア２５のドア基板部２５ｂ・２５ｃに貼着され、ドア基板部２５ｂ・２５ｃがフェイス吹出口２３・デフロスタ吹出口２４（実際には、フェイス開口部２３ａ・デフロスタ開口部２４ａ）のいずれかを閉じた時に、ドア基板部２５ｂ・２５ｃとフェイス吹出口２３・デフロスタ吹出口２４（実際には、フェイス開口部２３ａ・デフロスタ開口部２４ａ）との間をシールする開口部シール部材２５ｄと軸部シール部材２５ｄとを一体にしている。これによれば、構成を簡素にできることからコストを抑えることができる。
【００５０】
また、上記の空気通路切替装置をフェイス・デフロスタ切替ドア２５に用いている。これによれば、フェイス吹出口２３・デフロスタ吹出口２４間において通風の分離性の良い車両用空調装置とすることができる。
【００５１】
（第２実施形態）
図３は、車両用空調装置の開口切替部の部分拡大図であり、本発明の第２実施形態（請求項４に対応）における空気通路切替装置である。上述した第１実施形態と異なる特徴部分を説明する。本実施形態では、軸部外側シール部材２５ｄと軸部内側シール部材２５ｅとをドア基板部２５ｂ・２５ｃを介して回転軸２５ａの両側円弧面に設けている。
【００５２】
図２に示す上述の第１実施形態は、Ｌ字型となったバタフライドア２５の回転軸２５ａの外側円弧面に軸部外側シール部材２５ｄを設けたものである。実際には、回転軸２５ａの内側円弧面と仕切り部２６の一端部との間には隙間Ｓ（図２参照）ができるが、バタフライドア２５の空気流れ下流側となるように配置しているため問題とはならない。
【００５３】
しかし、これによれば、回動軸２５ａ周りの風洩れを完全に防ぐことができることとなる。このため、図３に示す本実施形態のように、バタフライドア２５自体を空気流れ上流側として空気流れ上流側を向けて配置することもできるようになり、レイアウト上の自由度を向上させることができる。
【００５４】
（第３実施形態）
図４は、車両用空調装置の開口切替部の部分拡大図であり、本発明の第３実施形態（請求項５に対応）における空気通路切替装置である。上述した第１・第２実施形態と異なる特徴部分を説明する。本実施形態では、ドア基板部２５ｂ・２５ｃの板厚中心を回転軸２５ａの中心から外側にずらして配置している（図中のＬ寸法）。
【００５５】
これによれば、ドア基板部２５ｂ・２５ｃが仕切り部２６と干渉することが避け易くなるため、バタフライドア２５の回動範囲を大きく取ることができる。このため、開放した空気通路側にドア基板部２５ｂ・２５ｃが中途半端に残ることなく仕切り部２６に沿わせて空気通路を大きく開放することができる（２点鎖線で示す回動範囲参照）。
【００５６】
（その他の実施形態）
本発明は上述した実施形態にのみ限定されるものではなく、次のように変形または拡張することができる。上述の実施形態では、本発明の空気通路切替装置を空調ユニット部１０のフェイス・デフロスタ切替部に適用しているが、エアミックスドア部やフェイス・フット切替部に適用しても良い。
【００５７】
また、上述の実施形態では、ケース内の空気を第１空気通路２３と第２空気通路２４とに分配したが、逆の空気流れで、第１空気通路２３からと第２空気通路２４からの空気を混合や選択して一つの空気通路に流す形でも良く、上述の実施形態では図示しなかった内外気切替部に適用しても良い。
【図面の簡単な説明】
【００５８】
【図１】本発明の一実施形態における車両用空調装置の空調ユニット部１０の縦断面図である。
【図２】図１の空調ユニット部１０における開口切替部の部分拡大図であり、本発明の第１実施形態における空気通路切替装置である。
【図３】車両用空調装置の開口切替部の部分拡大図であり、本発明の第２実施形態における空気通路切替装置である。
【図４】車両用空調装置の開口切替部の部分拡大図であり、本発明の第３実施形態における空気通路切替装置である。
【図５】車両用空調装置の開口切替部の部分拡大図であり、従来の空気通路切替装置の一例である。
【符号の説明】
【００５９】
１１…空調ケース（ケース）
１６…エアミックスドア（開口部切替手段）
２１…フェイス・フット切替ドア（開口部切替手段）
２３…フェイス吹出口（第１空気通路）
２４…デフロスタ吹出口（第２空気通路）
２５…フェイス・デフロスタ切替ドア、Ｌ字型バタフライドア（バタフライドア、開口部切替手段）
２５ａ…回動軸
２５ｂ…フェイス側ドア基板部（ドア基板部）
２５ｃ…デフロスタ側ドア基板部（ドア基板部）
２５ｄ…開口部シール部材、軸部外側シール部材（軸部シール部材）
２５ｅ…軸部内側シール部材（軸部シール部材）
２６…仕切り部
２６ａ…一端部
【図１】
2007137140.tif 000003
【図２】
2007137140.tif 000004
【図３】
2007137140.tif 000005
【図４】
2007137140.tif 000006
【図５】
2007137140.tif 000007